(57)【特許請求の範囲】
【請求項１】
複数の回線カードからなり、マスターカードとして機能する回線カードで受信したインターネットプロトコルパケットを分割して、スレーブカードとして機能する複数の回線カードに分配するようにするリンク二重化装置であって、
各々の回線カードは、自身の待ち行列バッファに格納された待ち行列の長さを確認して、バーチャル待ち行列管理部に提供するスケジューラを備え、
マスターカードには、バックボーン網を介して入るインターネットプロトコルパケットを分割し、各々の回線カードの待ち行列バッファに格納された待ち行列の長さに応じる回線カードの優先順位を決定して、優先順位に応じて前記分割したパケットを送信するように処理するバーチャル待ち行列管理部の機能が与えられることを特徴とするリンク二重化装置。
【請求項２】
前記バーチャル待ち行列管理部は、前記インターネットプロトコルパケットを分割する時にシーケンスナンバーを付与することを特徴とする請求項１に記載のリンク二重化装置。
【請求項３】
前記分割したパケットを送信した後、マスターカードの動作がダウンされる場合、前記スレーブカードの動作を前記マスターカードの動作に振り替えて、前記インターネットプロトコルデータを送信するように処理することを特徴とする請求項１に記載のリンク二重化装置。
【請求項４】
前記分割したパケットに含まれたシーケンスナンバーを確認して、前記マスターカードの動作で送信したインターネットプロトコルパケットと連続したパケットデータを送信することによって、前記マスターカードの動作に振り替えて、前記インターネットプロトコルデータを送信するように処理することを特徴とする請求項３に記載のリンク二重化装置。
【請求項５】
前記シーケンスナンバーは、前記マスターカードのダウンによる前記スレーブカードの代替動作の遂行時に、連続的なパケットの送信を可能にするためのパケットの情報であって、送信完了を行った以前パケットの番号又は連続的に送信するパケットの番号であることを特徴とする請求項４に記載のリンク二重化装置。
【請求項６】
複数の回線カードからなる、インターネットプロトコル基盤の移動通信システムのリンク二重化装置において、マスターカードとして機能する回線カードで受信したインターネットプロトコルパケットを分割して、スレーブカードとして機能する複数の回線カードに分配するようにする方法であって、
マスターカードによる、バックボーン網を介して入るインターネットプロトコルパケットを分割する過程と、
マスターカードによる、前記分割したインターネットプロトコルパケットにシーケンスナンバーを付与する過程と、
各々の回線カードによる、自身の待ち行列バッファに格納された待ち行列の長さを確認して、マスターカードに提供する過程と、
マスターカードによる、前記待ち行列の長さに応じる回線カードの優先順位を決定する過程と、
マスターカードによる、前記決定した順位に応じて送信しようとする分割したパケットの量を割り当てて、各々の回線カードに前記分割したパケットを送信する過程とを含むことを特徴とする方法。
【請求項７】
前記分割したパケットを送信した後、マスターカードの動作がダウンされる場合、前記スレーブカードの動作を前記マスターカードの動作に振り替えて、前記インターネットプロトコルデータを送信するように処理する過程をさらに含むことを特徴とする請求項６に記載の方法。
【請求項８】
前記マスターカードの動作に振り替えて、前記インターネットプロトコルデータを送信するように処理する過程は、前記分割したパケットに含まれたシーケンスナンバーを確認して、前記マスターカードの動作で送信したインターネットプロトコルパケットと連続したパケットデータを送信する過程をさらに含むことを特徴とする請求項７に記載の方法。
【請求項９】
前記シーケンスナンバーは、前記マスターカードのダウンによる前記スレーブカードの代替動作の遂行時に、連続的なパケットの送信を可能にするためのパケットの情報であって、送信完了を行った以前パケットの番号又は連続的に送信するパケットの番号であることを特徴とする請求項８に記載の方法。
【発明の詳細な説明】
【技術分野】
【０００１】
本発明は、インターネットプロトコル基盤の移動通信システム（ＩＰ−ＢＳＳ  Ｓｙｓｔｅｍ）のインターネットプロトコルパケットデータを処理する回線カードに関する装置及び方法に関し、さらに詳細には、インターネットプロトコル基盤の移動通信システムにおいて、物理的リンク（Ｔ１／Ｅ１／Ｊ１）を介してバックボーン網のＩＰパケットデータを送信する時に、回線カード間の二重化及び物理的リンク間の二重化を可能にするための装置及び方法に関する。
【背景技術】
【０００２】
一般的なインターネットプロトコル基盤の移動通信システム（ＩＰ−ＢＳＳ  Ｓｙｓｔｅｍ）では、インターネットプロトコルパケットデータを処理しようとする場合、一つの回線カードに該当物理的リンクで送信しなければならなかった。
図１は、一般的なインターネットプロトコル基盤の移動通信システムの回線カードを示す図である。
前記図１に示すように、前記回線カード１１０は、待ち行列バッファ１１２とチャネル確認部１１４とを備えて構成できる。
まず、前記回線カード１１０の待ち行列バッファ１１２は、バックボーン網（Ｂａｃｋｂｏｎｅ  Ｎｅｔｗｏｒｋ）（例；ＡＴＭ／Ｅｔｈｅｒｎｅｔ（登録商標））１００を介して入ったＩＰパケットを格納した後、前記チャネル確認部１１４によるリンク情報を利用して、前記ＩＰパケットを送信するように処理する。
前記チャネル確認部１１４は、チャネル別使用可能なタイムスロットに対する物理的リンク情報を確認する。
上記のようなインターネットプロトコル基盤の移動通信システムは、一つの回線カードと接続している物理的リンクの数が限定されているため、前記物理的リンクの拡張時にインターネットプロトコルパケットデータの処理に問題が生じるようになる。
【特許文献１】米国特許第７０７２２９３号明細書
【発明の開示】
【発明が解決しようとする課題】
【０００３】
そこで、本発明は、上述の問題点に鑑みてなされたもので、その目的は、インターネットプロトコル基盤の移動通信システム（ＩＰ−ＢＳＳ  Ｓｙｓｔｅｍ）において、複数の回線カードを拡張させるための装置及び方法を提供することにある。
本発明の他の目的は、インターネットプロトコル基盤の移動通信システム（ＩＰ−ＢＳＳ  Ｓｙｓｔｅｍ）で拡張した回線カードの脱装時に呼接続を維持し続けるための装置及び方法を提供することにある。
【課題を解決するための手段】
【０００４】
上記の目的を達成すべく、本発明の第１形態によれば、インターネットプロトコルパケットを分割して、複数のスレーブカードに分配するようにするリンク二重化装置は、回線カードの待ち行列バッファに格納された待ち行列の長さを確認して、バーチャル待ち行列管理部に提供するスケジューラと、バックボーン網（Ｂａｃｋｂｏｎｅ  Ｎｅｔｗｏｒｋ）を介して入るインターネットプロトコルパケットを分割し、各々の回線カードの待ち行列バッファに格納された待ち行列の長さに応じる回線カードの優先順位を決定して、優先順位に応じて前記分割したパケットを送信するように処理するバーチャル待ち行列管理部とを備えることを特徴とする。
【０００５】
上記の目的を達成すべく、本発明の第２形態によれば、インターネットプロトコル基盤の移動通信システムのリンク二重化装置において、インターネットプロトコルパケットを分割して複数のスレーブカードに分配するようにする方法は、バックボーン網（Ｂａｃｋｂｏｎｅ  Ｎｅｔｗｏｒｋ）を介して入るインターネットプロトコルパケットを分割する過程と、前記分割したインターネットプロトコルパケットにシーケンスナンバーを付与する過程と、各々の回線カードの待ち行列バッファに格納された待ち行列の長さを確認する過程と、前記待ち行列の長さに応じる回線カードの優先順位を決定する過程と、前記整列した順位に応じて送信しようとする分割したパケットの量を割り当てて、前記回線カードに前記分割したパケットを送信する過程とを含むことを特徴とする。
【発明の効果】
【０００６】
本発明によれば、インターネットプロトコル基盤の移動通信システム（ＩＰ−ＢＳＳ  Ｓｙｓｔｅｍ）において、回線カードの拡張を可能にするための二重化装置によって、複数の物理的リンクをサポートすることができる。また、本発明による二重化装置によって、回線カードの装着時に発生する呼断絶現象を解決することができる。
【発明を実施するための最良の形態】
【０００７】
以下、本発明の好ましい実施の形態を、添付された図面を参照して詳細に説明する。そして、本発明を説明するに当たって、関連した公知機能あるいは構成についての具体的な説明が本発明の要旨を不明にするおそれがあると判断された場合には、その詳細な説明を省略する。
以下の説明では、本発明によってインターネットプロトコル基盤の移動通信システム（ＩＰ−ＢＳＳ  Ｓｙｓｔｅｍ）において、複数の回線カードを拡張させるための装置及び方法について説明する。また、以下の説明で定義した分割パケットデータは、バックボーン網を介して入るＩＰパケットデータを一定の大きさに分割したパケットデータを意味する。
【０００８】
図２は、本発明の好ましい一実施形態によるインターネットプロトコル基盤の移動通信システム（ＩＰ−ＢＳＳ  Ｓｙｓｔｅｍ）の回線カード二重化装置の構成を示すブロック図である。
前記図２に示すように、前記インターネットプロトコル基盤の移動通信システムの二重化装置は、バーチャル待ち行列管理部２１２、スケジューラ２１６及びチャネル確認部２１９を備える一つのマスターカード２１０と、スケジューラ２２２及びチャネル確認部２２６を備える複数のスレーブカード２２０、２３０、２４０とで構成できる。また、前記スケジューラ２１６は、待ち行列バッファ２１８を備えることができる。
【０００９】
まず、前記マスターカード２１０の構成を述べると、以下のとおりである。前記マスターカード２１０のバーチャル待ち行列管理部２１２は、バックボーン網（Ｂａｃｋｂｏｎｅ  Ｎｅｔｗｏｒｋ）（例；ＡＴＭ／Ｅｔｈｅｒｎｅｔ（登録商標））２００を介して入ったＩＰパケットを分割するように処理する。このとき、前記バーチャル待ち行列管理部２１２は、前記ＩＰパケットを分割する時に前記ＩＰパケットの順序を表すシーケンスナンバーを付与する。ここで、前記シーケンスナンバーは、前記マスターカード２１０のダウンによる前記スレーブカード２２０、２３０、２４０の代替動作の遂行時に連続的なパケットの送信を可能にするためのパケットの情報であって、送信完了を行った以前パケットの番号又は連続的に送信するパケットの番号になりうる。
【００１０】
また、前記バーチャル待ち行列管理部２１２は、前記スケジューラ２１６から提供された待ち行列バッファ２１８の状態、すなわち、キューの情報を提供されてスレーブカード２２０、２３０、２４０の優先順位を決定し、該決定した優先順位に合う分割パケットを前記スレーブカードに提供して、前記スレーブカード２２０、２３０、２４０の待ち行列バッファ２２４、２３４、２４４の状態を均一に処理する。
前記スケジューラ２１６は、前記チャネル確認部２１９によるリンク情報を受信する場合、該当リンクに前記待ち行列バッファ２１８に格納されている分割パケットを送信するように処理する。ここで、前記リンク情報は、チャネル別使用可能なタイムスロットに対する物理的リンク（例；Ｔ１／Ｅ１／Ｊ１等）情報のことを言う。また、前記スケジューラ２１６は、前記バーチャル待ち行列管理者２１２に前記待ち行列バッファ２１８の状態を提供する。
前記チャネル確認部２１９は、チャネル別使用可能なタイムスロットに対する物理的リンク情報を確認して、前記スケジューラ２１６に提供する。
【００１１】
前記スレーブカード２２０のチャネル確認部２２６は、前記マスターカード２１０のチャネル確認部２１９と同じ動作を行い、前記スケジューラ２２２は、前記スレーブカード２２０の待ち行列バッファ２２４の情報を前記マスターカード２１０のバーチャル待ち行列管理部２１２に提供する。また、前記スレーブカード２２０のスケジューラ２２２は、前記マスターカード２１０のダウンを確認する場合、前記分割パケットに含まれたシーケンスナンバーを確認して、前記マスターカード２１０が送信したパケットに対して連続的なパケットの送信を行うようにする。
【００１２】
図３は、本発明の好ましい一実施形態によって、インターネットプロトコル基盤の移動通信システムの二重化装置において、ＩＰパケットを分割して複数のスレーブカードに分配するようにする過程を示すフローチャートである。
前記図３に示すように、前記二重化装置は、まずステップ３０１でバーチャル待ち行列管理部においてバックボーン網（例；ＡＴＭ／Ｅｔｈｅｒｎｅｔ（登録商標））を介して入ったＩＰパケットを分割するように処理した後、ステップ３０３に進んで、前記バーチャル待ち行列管理部において前記分割した分割パケットにシーケンスナンバーを付与するように処理する。ここで、前記分割パケットは、前記バックボーン網を介して入ったＩＰパケットが分割された状態のパケットのことを言う。また、前記シーケンスナンバーは、マスターカードのダウンによる前記スレーブカードの代替動作の遂行時に連続的なパケットの送信を可能にするためのパケットの情報であって、送信完了を行った以前パケットの番号又は連続的に送信するパケットの番号として前記スレーブカードに送信する分割パケットの二重化ヘッダに含めることができる。
【００１３】
以後、前記二重化装置は、ステップ３０５に進んで待ち行列バッファに格納された待ち行列の長さ（Ｑｕｅｕｅ  ｄｅｐｔｈ）を確認した後、ステップ３０７に進んで前記確認した待ち行列の長さに応じて回線カードの順位を整列する。ここで、前記二重化装置は、スケジューラから待ち行列バッファの情報を提供されることによって、前記待ち行列の長さを確認することができる。
以後、前記二重化装置は、ステップ３０９に進んで前記スレーブカードの待ち行列の長さを均等に処理するために、前記ステップ３０７で整列した順位に応じて送信しようとする分割パケットの量を割り当てた後、ステップ３１１に進んで各々の回線カード、すなわち、スレーブカードに前記割り当てた分割パケットを送信する。
以後、前記二重化装置は、本アルゴリズムを終了する。
【００１４】
図４Ａ及び図４Ｂは、本発明の好ましい一実施形態によって、インターネットプロトコル基盤の移動通信システムの二重化装置において、ＩＰパケットを分割して複数のスレーブカードに分配する過程を示す図である。
図４Ａは、マスターカード４１０とスレーブカード４２０の待ち行列情報、言い換えれば待ち行列バッファ４１６、４２４に格納された待ち行列の長さを利用して、回線カード（マスターカードとスレーブカード）の優先順位を決定する過程を示す図である。
前記図４Ａに示すように、前記マスターカード４１０のスケジューラ４１４は、まず待ち行列バッファ４１６に格納された待ち行列の長さを確認して、バーチャル待ち行列管理部４１２に提供する。一例として、前記図４Ａに示すように、前記待ち行列バッファに斜線が引かれた３間程度の待ち行列が格納されていると仮定する場合、前記スケジューラ４１４は、前記バーチャル待ち行列管理部４１２に前記待ち行列情報「（３）」を送信する。
【００１５】
前記スレーブカード４２０のスケジューラ４２２は、前記マスターカード４１０のスケジューラ４１４のように、待ち行列バッファ４２４に格納されている待ち行列情報「(１)」を前記マスターカード４１０のバーチャル待ち行列管理部４１２に提供する。
前記マスターカード４１０と前記スレーブカード４１２との待ち行列情報を提供されたバーチャル待ち行列管理部４１２は、それぞれの待ち行列情報を比較して回線カードの優先順位を決定する。前記のような例に基づき前記バーチャル待ち行列管理部４１２は、待ち行列情報「（１）」を提供したスレーブカード４２０が優先順位が高いと判断できる。すなわち、前記バーチャル待ち行列管理部４１２は、スレーブカード４２０を第１順位と決め、マスターカード４１０を第２順位と決めることができる。
【００１６】
図４Ｂは、ＩＰパケットを分割して各々の回線カードに分配する過程を示す図である。
前記図４Ｂに示すように、まずマスターカード４４０のバーチャル待ち行列管理部４４２は、バックボーン網４３０を介して入るＩＰ−ｐａｃｋｅｔを分割した状態であることを仮定する。ここでＩＰ−ｐａｃｋｅｔは、前記バーチャル待ち行列管理部４４２のパケット分割部４４４により分割できる。
前記図４Ａのように前記バーチャル待ち行列管理部４４２で設定した回線カードの優先順位を決定した場合、前記バーチャル待ち行列管理部４４２は、前記パケット分割部４４４により分割されたＩＰ−ｐａｃｋｅｔである分割パケットを前記優先順位に合うように割り当てる。例えば、第１順位と決定されたスレーブカード４５０と第２順位と決定されたマスターカード４４０の待ち行列の長さを均等に処理するために、前記バーチャル待ち行列管理部４４２は、前記スレーブカード４５０に分割パケット「（３）」を送信し、前記マスターカード４４０に分割パケット「（１）」を送信することによって、それぞれの待ち行列バッファ４４８，４５４を均一にするよう処理する。
【００１７】
図５は、本発明の好ましい他の実施の形態によって、インターネットプロトコル基盤の移動通信システムの二重化装置において、回線カードを二重化する過程を示すフローチャートである。
前記図５に示すように、前記二重化装置は、まずステップ５０１でマスターカードを動作させてパケットを送信した後、ステップ５０３に進んで前記動作中のマスターカードがダウンされるか否かを検査する。万一、前記マスターカードがダウンされない場合、前記二重化装置は、前記ステップ５０１の過程を繰り返し行う。
【００１８】
一方、前記マスターカードがダウンされる場合、前記二重化装置は、ステップ５０５に進んでスレーブカードを動作するように処理した後、ステップ５０７に進んで前記マスターカードから受信したＩＰパケットのシーケンスナンバーを確認する。ここで、前記シーケンスナンバーは、前記マスターカードのダウンによる前記スレーブカードの代替動作の遂行時に連続的なパケットの送信を可能にするためのパケットの情報であって、送信完了を行った以前パケットの番号又は連続的に送信するパケットの番号になることができ、前記シーケンスナンバーは、前記マスターカードにより提供される分割パケットに含まれている。
以後、前記二重化装置は、前記スレーブカードをマスターカードとして動作させるために、前記シーケンスナンバーに合うパケットを送信するように処理する。
以後、前記二重化装置は、本アルゴリズムを終了する。
【００１９】
図６Ａ及び図６Ｂは、本発明の好ましい他の実施の形態によって、インターネットプロトコル基盤の移動通信システムの二重化装置において、回線カードを二重化する過程を示す図である。
図６Ａは、二重化装置の正常な動作過程を示す図である。
前記図６Ａに示すように、前記二重化装置は、バックボーン網を介して入るＩＰパケットをマスターカードを介して送信する。
また、前記図３の過程で説明したように、スレーブカードに前記ＩＰパケットの分割パケットを送信する過程を行う。ここで、前記二重化装置は、パケットの送信時にマスターカードのみを介して行う。
図６Ｂは、二重化装置のマスターカードのダウンによるスレーブカードへの二重化過程を示す図である。
前記図６Ｂに示すように、前記二重化装置は、前記マスターカードのダウン発生を確認する場合、前記スレーブカードをマスターカードとして動作するように処理する。
前記スレーブカードは、前記マスターカードから提供されたＩＰパケットのシーケンスナンバーを確認して、該当ＩＰパケットを送信するように処理する。
【００２０】
図７Ａ及び図７Ｂは、本発明の好ましい一実施形態によるインターネットプロトコル基盤の移動通信システム（ＩＰ−ＢＳＳ  Ｓｙｓｔｅｍ）の二重化要請のためのパケットの構成を示す図である。
図７Ａは、本発明の好ましい一実施形態によって、インターネットプロトコル基盤の移動通信システムの二重化装置において、分割パケットデータ送信及び待ち行列情報を含む二重化ヘッダの構成を示す図である。
前記図７Ａに示すように、前記二重化ヘッダは、ｖａｌｉｄ、Ｄｒｏｐ、ＣＯＳ、Ｃｌａｓｓ＿ｉｄ、Ｐｏｒｔ＿Ｎｕｍｂｅｒ、ＬＣＰ、ＩＣＭＰ、ＱＭ＿Ｐａｃｋｅｔ、ｍａｓｔｅｒ＿ｔｏ＿ｓｌａｖｅ、Ｆｒａｍｅ＿ｌｅｎ＿ｒｅｄｕｃｅ、ＰＰＰｎｃａｐ、Ｒｅｓｅｒｖｅｄフィールドを含んで構成できる。
【００２１】
前記ｖａｌｉｄフィールドは、該当パケットが正確に送信されたか否かを確認するためのフィールドであり、前記Ｄｒｏｐフィールドは、該当パケットがマスターカードでダウンされたか否かを確認するためのフィールドのことを言う。また、前記ＣＯＳフィールドは、Ｃｌａｓｓ  ｏｆ  Ｓｅｒｖｉｃｅを示すフィールドであって、マスターカードに存在するバーチャル待ち行列管理部で分割されたブロックに応じるＭｕｌｔｉ−Ｃｌａｓｓ値を示し、前記Ｃｌａｓｓ＿ｉｄフィールドは、前記マスターカード又は回線カードのパケット種類（Ｎｏｒｍａｌ  ＰＰＰ又はＬＣＰ／ＩＰＣＰ）に応じるリンクのｃｌａｓｓ＿ｉｄを示す。
前記Ｐｏｒｔ＿Ｎｕｍｂｅｒフィールドは、前記マスターカードから提供されている分割パケットが出力しなければならないｐｏｒｔ  ｎｕｍｂｅｒを示すフィールドである。
【００２２】
図７Ｂは、本発明の好ましい一実施形態によるインターネットプロトコル基盤の移動通信システムにおいて、二重化のための二重化ヘッダの二重化情報を含むフィールドを示す図である。
前記図７Ｂに示すように、前記二重化フィールドは、前記図７Ａに含まれる一つのフィールドで、マスターカードのダウンによる前記スレーブカードの代替動作の遂行時に連続的なパケットの送信を可能にするためのパケットの情報であって、送信完了を行った以前パケットの番号又は連続的に送信するパケットの番号を表すシーケンスナンバーフィールド、該当シーケンスナンバーがロングシーケンスナンバー（ｌｏｎｇ  ｓｅｑｕｅｎｃｅ  ｎｕｍｂｅｒ）であるか、又はショートシーケンスナンバー（ｓｈｏｒｔ  ｓｅｑｕｅｎｃｅ  ｎｕｍｂｅｒ）であるかを表すフィールド及びバンドルに応じる多重制御設定を確認するためのｂｕｎｄｌｅ  ＩＤフィールドを含む。
【００２３】
図７Ｃは、本発明の好ましい一実施形態によるインターネットプロトコル基盤の移動通信システムにおいて、待ち行列バッファの情報を含む待ち行列情報のパケット構成を示す図である。
スレーブカードのスケジューラは、前記図７Ｃのような待ち行列情報パケットを利用して、待ち行列バッファの情報を周期的にマスターカードに提供する。
【００２４】
上述した通り、本発明は、インターネットプロトコル基盤の移動通信システム（ＩＰ−ＢＳＳ  Ｓｙｓｔｅｍ）において、回線カードの拡張を可能にするための二重化装置によって、複数の物理的リンクをサポートすることができる。また、本発明による二重化装置によって、回線カードの装着時に発生する呼断絶現象を解決することができる。
本発明の詳細な説明では具体的な実施の形態について説明したが、本発明の範囲から逸脱しない範囲内で多様な変形が可能である。したがって、本発明の範囲は、上述の実施の形態に限定されず、特許請求の範囲だけでなく、特許請求の範囲と均等なものによって決まらねばならない。
【図面の簡単な説明】
【００２５】
【図１】一般的なインターネットプロトコル基盤の移動通信システムの回線カードを示す図である。
【図２】本発明の好ましい一実施形態によるインターネットプロトコル基盤の移動通信システム（ＩＰ−ＢＳＳ  Ｓｙｓｔｅｍ）の回線カード二重化装置の構成を示すブロック図である。
【図３】本発明の好ましい一実施形態によってインターネットプロトコル基盤の移動通信システムの二重化装置において、ＩＰパケットを分割して複数のスレーブカードに分配するようにする過程を示すフローチャートである。
【図４Ａ】マスターカードとスレーブカードの待ち行列情報、言い換えれば待ち行列バッファに格納された待ち行列の長さを利用して、回線カード（マスターカードとスレーブカード）の優先順位を決定する過程を示す図である。
【図４Ｂ】ＩＰパケットを分割して、各々の回線カードに分配する過程を示す図である。
【図５】本発明の好ましい他の実施の形態によってインターネットプロトコル基盤の移動通信システムの二重化装置において、回線カードを二重化する過程を示すフローチャートである。
【図６Ａ】二重化装置の正常な動作過程を示す図である。
【図６Ｂ】二重化装置のマスターカードのダウンによるスレーブカードへの二重化過程を示す図である。
【図７Ａ】本発明の好ましい一実施形態によってインターネットプロトコル基盤の移動通信システムの二重化装置において、分割パケットデータ送信及び待ち行列情報を含む二重化ヘッダの構成を示す図である。
【図７Ｂ】本発明の好ましい一実施形態によるインターネットプロトコル基盤の移動通信システムにおいて、二重化のための二重化ヘッダの二重化情報を含むフィールドを示す図である。
【図７Ｃ】本発明の好ましい一実施形態によるインターネットプロトコル基盤の移動通信システムにおいて、待ち行列バッファの情報を含む待ち行列情報のパケット構成を示す図である。
【符号の説明】
【００２６】
２００  バックボーン網
２１０  マスターカード
２１２  バーチャル待ち行列管理部
２１４  パケット分割部
２１６，２２２，２３２，２４２  スケジューラ
２１８，２２４，２３４，２４４  待ち行列バッファ
２１９，２２６，２３６，２４６  チャネル確認部
２２０，２３０，２４０  スレーブカード
【図１】
0004741644.tif 000002
【図２】
0004741644.tif 000003
【図３】
0004741644.tif 000004
【図４Ａ】
0004741644.tif 000005
【図４Ｂ】
0004741644.tif 000006
【図５】
0004741644.tif 000007
【図６Ａ】
0004741644.tif 000008
【図６Ｂ】
0004741644.tif 000009
【図７Ａ】
0004741644.tif 000010
【図７Ｂ】
0004741644.tif 000011
【図７Ｃ】
0004741644.tif 000012